(57)【要約】【課題】部材点数や組立工数を削減することができ、異なる機種間においても玉通路形態の共通化を図ることができる遊技媒体通路機構を提供する。【解決手段】遊技盤２と該遊技盤２の裏面を覆うようにして配置された裏板３とを備える。遊技盤２の両側縁部及び下端縁部を除いた部分に亘って、遊技盤２と裏板３との間に、遊技玉の径よりも僅かに大きい間隔の遊技玉落下用の中空部１０が形成されている。【選択図】図２
2007175349.tif 000002
【特許請求の範囲】
【請求項１】
前記遊技盤の裏面側に形成され、該遊技盤の表面の遊技領域から前記裏面側に導かれた遊技媒体の通路として機能する遊技媒体通路機構であって、前記遊技盤の裏面側には、前記遊技媒体の通路として、前記遊技媒体落下用の中空部が、少なくとも前記遊技領域を前記裏面方向に投影した投影領域に亘って設けられたことを特徴とする遊技媒体通路機構。
【請求項２】
請求項１に記載の遊技媒体通路機構であって、前記遊技盤の裏面に対し前記遊技媒体が通過可能な間隔をおいて配置された裏板と、前記遊技盤の正面に向かって左側の側部において該裏板と前記裏面とを接合する左側部接合部材と、前記遊技盤の正面に向かって右側の側部において該裏板と前記裏面とを接合する右側部接合部材とを備え、前記中空部が、前記遊技盤，前記裏板，前記左側部接合部材および前記右側部接合部材によって囲まれた空間領域によって構成されたことを特徴とする遊技媒体通路機構。
【請求項３】
前記遊技盤及び前記裏板が透明樹脂製であることを特徴とする請求項２に記載の遊技媒体通路機構。
【請求項４】
前記左側部接合部材および前記右側部接合部材の少なくとも一方は、その前記中空部を構成する面に、前記遊技盤の下端部に向かう傾斜面を備えたことを特徴とする請求項２または３に記載の遊技媒体通路機構。
【請求項５】
前記遊技盤の下端部において、前記遊技媒体が通過可能な大きさの空隙部を残しつつ、前記遊技盤の裏面と前記裏板とを接合する下端部接合部材とを備え、前記中空部は、前記遊技盤，前記裏板，前記左側部接合部材，前記右側部接合部材，前記下端部接合部材によって囲まれた空間領域によって構成されており、前記下端部接合部材は、その前記中空部を構成する面に、前記空隙部に向かう傾斜面を備えたことを特徴とする請求項２または３に記載の遊技媒体通路機構。
【請求項６】
前記遊技盤，前記裏板，前記左側部接合部材，前記右側部接合部材および前記下端部接合部材が一体として形成されていることを特徴とする請求項２乃至５のうちのいずれか１つに記載の遊技媒体通路機構。
【請求項７】
前記遊技盤，前記裏板，前記左側部接合部材，前記右側部接合部材および前記下端部接合部材の少なくとも１つには、その前記中空部を構成する面に、落下してきた遊技媒体の衝突による衝撃を吸収する緩衝材が設けられていることを特徴とする請求項２乃至６のうちのいずれか１つに記載の遊技媒体通路機構。
【請求項８】
前記遊技盤，前記裏板，前記左側部接合部材，前記右側部接合部材および前記下端部接合部材の少なくとも１つが導電性高分子材または帯電防止材を用いて形成されていることを特徴とする請求項２乃至７のうちのいずれか１つに記載の遊技媒体通路機構。
【発明の詳細な説明】
【技術分野】
【０００１】
本発明は、遊技盤の裏面側に形成され、該遊技盤の表面の遊技領域から前記裏面側に導かれた遊技媒体の通路として機能する遊技媒体通路機構に関する。
【背景技術】
【０００２】
パチンコ機等の遊技機の遊技盤及びその裏面を覆うカバー間には、玉等の遊技媒体を入賞後に特定の方向に誘導する遊技媒体通路が形成されている。従来、遊技盤の裏面に設けられた遊技媒体通路は、遊技盤裏面に形成された入賞口孔に対応する位置に、樹脂製の通路形成部材を装着したり（例えば、特許文献１参照）、遊技盤の裏面に通路溝（片側開放通路部）を形成する（例えば、特許文献２参照）ことによりなされていた。
【０００３】
【特許文献１】特開平６−１９８０４９号公報
【特許文献２】特開２００３−２４５４０号公報
【発明の開示】
【発明が解決しようとする課題】
【０００４】
入賞口の数や入賞口孔，アウト口の配設位置は遊技機の機種によってまちまちであるため、上記従来の特許文献１に開示された遊技機の遊技媒体通路構造にあっては、通路形成部材を機種毎に異なる態様（機種に応じた形状や位置）で設ける必要があり、部材点数や組立工数が増えてしまうという問題があった。また、上記従来の特許文献２に開示された遊技機の遊技媒体通路構造にあっては、機種毎に、その機種に応じた入賞口の数や入賞口孔の配設位置に対して、遊技盤の裏面に通路溝を予め設ける必要があり、遊技盤の設計を通路溝を含めて行う必要があり、面倒である。
【０００５】
本発明の目的は、部材点数や組立工数を削減することができ、異なる機種間においても遊技媒体の通路形態の共通化を図ることができる遊技媒体通路機構を提供することにある。
【課題を解決するための手段】
【０００６】
請求項１に係る遊技媒体通路機構は、前記遊技盤の裏面側に形成され、該遊技盤の表面の遊技領域から前記裏面側に導かれた遊技媒体の通路として機能するものであって、上記課題を解決するために、前記遊技盤の裏面側には、前記遊技媒体の通路として、前記遊技媒体落下用の中空部が、少なくとも前記遊技領域を前記裏面方向に投影した投影領域に亘って設けられたことを特徴とする。
【０００７】
請求項２に係る遊技媒体通路機構は、請求項１に係る遊技媒体通路機構において、前記遊技盤の裏面に対し前記遊技媒体が通過可能な間隔をおいて配置された裏板と、前記遊技盤の正面に向かって左側の側部において該裏板と前記裏面とを接合する左側部接合部材と、前記遊技盤の正面に向かって右側の側部において該裏板と前記裏面とを接合する右側部接合部材とを備え、前記中空部が、前記遊技盤，前記裏板，前記左側部接合部材および前記右側部接合部材によって囲まれた空間領域によって構成されたことを特徴とするものである。
【０００８】
請求項３に係る遊技媒体通路機構は、請求項２に係る遊技媒体通路機構において、前記遊技盤及び前記裏板が透明樹脂製であることを特徴とするものである。また、請求項４に係る遊技媒体通路機構は、請求項２又は３に係る遊技媒体通路機構において、前記左側部接合部材および前記右側部接合部材の少なくとも一方が、その前記中空部を構成する面に、前記遊技盤の下端部に向かう傾斜面を備えたことを特徴とするものである。
【０００９】
請求項５に係る遊技媒体通路機構は、請求項２又は３に係る遊技媒体通路機構において、前記遊技盤の下端部において、前記遊技媒体が通過可能な大きさの空隙部を残しつつ、前記遊技盤の裏面と前記裏板とを接合する下端部接合部材とを備え、前記中空部は、前記遊技盤，前記裏板，前記左側部接合部材，前記右側部接合部材，前記下端部接合部材によって囲まれた空間領域によって構成されており、前記下端部接合部材は、その前記中空部を構成する面に、前記空隙部に向かう傾斜面を備えたことを特徴とするものである。
【００１０】
請求項６に係る遊技媒体通路機構は、請求項２乃至５のうちのいずれか１つに係る遊技媒体通路機構において、前記遊技盤，前記裏板，前記左側部接合部材，前記右側部接合部材および前記下端部接合部材が一体として形成されていることを特徴とするものである。
【００１１】
請求項７に係る遊技媒体通路機構は、請求項２乃至６のうちのいずれか１つに係る遊技媒体通路機構において、前記遊技盤，前記裏板，前記左側部接合部材，前記右側部接合部材および前記下端部接合部材の少なくとも１つには、その前記中空部を構成する面に、落下してきた遊技媒体の衝突による衝撃を吸収する緩衝材が設けられていることを特徴とするものである。
【００１２】
請求項８に係る遊技媒体通路機構は、請求項２乃至７のうちのいずれか１つに係る遊技媒体通路機構において、前記遊技盤，前記裏板，前記左側部接合部材，前記右側部接合部材および前記下端部接合部材の少なくとも１つが導電性高分子材または帯電防止材を用いて形成されていることを特徴とするものである。
【発明の効果】
【００１３】
請求項１及び請求項２に係る遊技媒体通路機構によれば、遊技盤の裏面側には、遊技媒体の通路として、遊技媒体落下用の中空部が、少なくとも遊技領域を裏面方向に投影した投影領域に亘って設けられているので、遊技盤の裏面に通路形成部材を設ける必要がなく、部材点数や組立工数を削減することができ、遊技盤の裏面に通路溝を予め設ける必要もないため、異なる機種間においても玉通路形態の共通化を図ることができる。
【００１４】
請求項３に係る遊技媒体通路機構によれば、遊技盤及び裏板が透明樹脂製であるため、外部から中空部を視認することが可能である。また、遊技盤に発光体が取り付けられた場合に、発光体が発光した際の光が透過するので装飾効果が高い。
【００１５】
請求項４及び５に係る遊技媒体通路機構によれば、傾斜面に沿って遊技媒体が流れ落ちるので、遊技媒体の機外へのスムーズな排出を実現することができる。請求項６に係る遊技媒体通路機構によれば、強度を更に高めることができる。
【００１６】
請求項７に係る遊技媒体通路機構によれば、落下した遊技媒体が機外に排出されるまでの間に発生する衝撃音を吸収でき、かつ、中空部を構成する各部材（遊技盤，裏板，左側部接合部材，右側部接合部材、下端部接合部材、以下、「中空部構成部材」という）を遊技媒体の衝突による衝撃から保護することができる。
【００１７】
請求項８に係る遊技媒体通路機構によれば、中空部構成部材が導電性高分子材を用いて形成されている場合には、遊技媒体との摩擦等により中空部構成部材上において生じた静電気は中空部構成部材内に分散される。また、中空部構成部材が帯電防止材を用いて形成されている場合には、遊技媒体との摩擦等により中空部構成部材上において生じた静電気は、帯電防止材が空気中の水分を吸収することにより中空部構成部材の表面から空気中に放電され、この結果、中空部構成部材の表面における帯電が防止される。従って、中空部構成部材上において局所的な高電圧が生じる蓋然性が低くなり、中空部構成部材から放電された静電気がノイズとして制御基板等に作用することを防止することができる。
【発明を実施するための最良の形態】
【００１８】
以下、本発明の実施の形態を図面を参照して説明する。図１は、本発明の遊技機の遊技媒体通路機構の一実施例であるパチンコ機の玉通路装置の正面図であり、図２は図１の玉通路装置を背面から示す斜視図である。玉通路装置１は、正面側に配置される遊技盤２と、遊技盤２の裏面を覆うようにして配置された裏板３とを備えている（図２参照）。本実施例において、遊技盤２は透明樹脂製であり、遊技盤２の正面には、遊技盤２の左側寄り及び遊技盤２の下部に亘って半円弧状のレール４が配設され、レール４によって区画されるレール４よりも上方の領域が遊技領域５として設定されている（図１参照）。遊技領域５とは、遊技盤２の表面の遊技玉１１が転動し得る領域である。
【００１９】
図１には図示していないが、遊技盤２の表面の遊技領域５には、図柄表示装置等を組付けた装飾ユニット枠、遊技情報表示のための表示ＬＥＤ並びに装飾ランプ等を取り付けた装飾ＬＥＤ基板、遊技領域５に向けて弾発された打玉を入賞されるための入賞装置や入賞口を備えたチャッカ、大入賞口を備えたアタッカ等が配設される。また、遊技領域５には、打玉を誘導するための誘導釘が植設されている。さらに、遊技領域５には、遊技盤の表面を流下してきた遊技玉１１を裏面に導く通路として機能する貫通孔が、複数の箇所に設けられている。例えば、入賞装置や入賞口の配設位置に対応して、これらへの入賞玉を遊技盤２の裏面に誘導するための入賞口孔６が複数穿設され、遊技領域５の下部中央には、前記入賞装置（例えば、始動口やアタッカ）や前記入賞口に入賞しなかった打玉をアウト玉として遊技盤２の裏面に誘導するためのアウト口７が穿設されている。なお、図示していないが、前記入賞装置やチャッカには、各入賞誘導された打玉を入賞検出するための入賞検出スイッチが配設されているものである。
【００２０】
裏板３は透明樹脂製であり、遊技盤２の裏面を覆うようにして配置される。なお、図示していないが裏板３の後面には遊技機の各種制御基板が配設される。本実施例では、遊技盤２の裏面の左右両側縁に側部接合部材８，１８が設けられる。本実施例では、この側部接合部材８，１８が、特許請求の範囲における左側部接合部材，右側部接合部材に相当する。勿論、左側部接合部材，右側部接合部材として、側部接合部材８，１８以外の形態を採ることも可能である。遊技盤２の裏面の下端部には、側部接合部材８，１８の奥行き幅ｔ１とほぼ同じ奥行き幅ｔ２の下端部接合部材９，１９が中央寄りを間隔を開けて左右にそれぞれ設けられている。こうした側部接合部材８，１８及び下端部接合部材９，１９付きの遊技盤２に対して裏板３が接合（嵌め込み嵌合）されている。下端部接合部材９，１９は、遊技盤２の下端部において、遊技玉１１が通過可能な大きさの空隙部（排出口１２）を残しつつ、遊技盤２の裏面と裏板３とに接合されている。
【００２１】
なお、本実施例では、側部接合部材８，１８および下端部接合部材９，１９を、遊技盤２や裏板３と同様の透明樹脂製としているが、遊技盤２と裏板３のみを透明としても良い。また、遊技盤２，裏板３，側部接合部材８，１８および下端部接合部材９，１９のうちの一部の部材のみを透明としたり、遊技盤２，裏板３，側部接合部材８，１８および下端部接合部材９，１９の全てを非透明とすることも可能である。
【００２２】
図３は、図１のＡ−Ａ線断面矢視図である。本実施例では、遊技盤２の裏面側の玉通路は、遊技玉１１落下用の中空部１０により構成されている。中空部１０は、遊技盤２の表面の遊技領域５を遊技盤２の裏面方向に投影した投影領域に亘って設けられている（図１，図２を参照）。具体的には、中空部１０は、側部接合部材８，１８及び下端部接合部材９，１９が配設された部分、即ち、遊技盤２の裏面の両側縁部及び下端縁部を除いた部分に亘って、遊技盤２と裏板３との間に形成されている。このように、中空部１０は、遊技盤２（の裏面），裏板３，側部接合部材８，１８及び下端部接合部材９，１９によって囲まれた空間領域によって構成され、３個の入賞口孔６と１個のアウト口７を跨ぐ範囲に形成されている。図３に示すように、中空部１０の前後方向の間隔（遊技盤２と裏板３との間隔）Ｄは、遊技玉１１が通過可能な間隔、具体的には、遊技玉１１の直径ｒよりも僅かに大きい間隔に形成されている。
【００２３】
玉通路装置１の両側面部は側部接合部材８，１８によって封鎖されている。また、玉通路装置１の底面部の中央以外の領域（左右）は、左右下端部に配設された下端部接合部材９，１９により封鎖されている。玉通路装置１の底面部の中央は、下端部接合部材９，１９の間隔Ｗによって下方に開放した排出口１２が形成されている（図１参照）。また、下端部接合部材９，１９は、その上面（中空部１０を構成する面）が両側部から中央に向って下方に傾斜した傾斜面９ａ，１９ａにそれぞれ形成されている。
【００２４】
なお、遊技盤２の裏面又は裏板３は、その中空部１０に面する部分（中空部１０を構成する部分）が帯電防止材を用いて形成されている。帯電防止材とは、組成体のうちの帯電防止処理（ある材料の表面抵抗率を小さくする処理）がなされた表面のみが導電性を有するものをいい、一般には、絶縁物の表面に帯電防止処理を施すことにより形成される。この帯電防止処理には、絶縁物の表面に帯電防止剤を塗布する処理や、絶縁物の成形材料に帯電防止剤を混入配合して表面に導電層を形成する練り込み処理等がある。このような絶縁物と帯電防止剤の組み合わせとしては、合成樹脂等の合成高分子材料（絶縁物）、カオチン等の各種の界面活性剤（帯電防止剤）等を考えることができる。このような帯電防止材では、絶縁体表面に静電気が生じた場合に、帯電防止処理がなされた表面が空気中の水分を吸収して絶縁体表面に生じた静電気を空中に放電することにより、絶縁体表面における帯電が防止される。なお、遊技盤２又は裏板３の中空部１０に面しない部分（具体的には、遊技領域５が形成される遊技盤２の表面や各種制御基板が配設される裏板３の後面、遊技盤２ないし裏板３の端面）を帯電防止材を用いて形成することとしても差し支えない。こうすれば、遊技盤２又は裏板３の中空部１０に面しない部分の表面は静電気が帯電しない状態に維持される。従って、遊技盤２又は裏板３に触れたときに、遊技盤２又は裏板３の表面からの放電によって不快な思いをすることがない。また、遊技盤２又は裏板３の表面の静電気によって塵芥が引き付けられて遊技盤２又は裏板３の表面が汚れてしまうといったこともない。なお、本実施例では、玉通路装置１の上面は中空部１０の上方が開放された構造となっているが、中空部１０の上方をカバー等で覆い、中空部１０への異物（遊技玉１１以外の有体物）の侵入を抑制する構成としてもよい。
【００２５】
以上のように構成された玉通路装置１において、遊技盤２に穿設された入賞口孔６に入った遊技玉（入賞玉）は、遊技盤２の裏面に導かれて中空部１０に到達し、入賞口孔６の末端から中空部１０の内部に落下して下端部接合部材９，１９の傾斜面９ａ，１９ａに衝突する。その後、傾斜面９ａ，１９ａ上を転がって中央の排出口１２から機外に落下し回収される。また、アウト口７に入ったアウト玉は、アウト口７の末端から中空部１０の内部に落下した後、傾斜面９ａ，１９ａに衝突することなく直接に排出口１２を通過し、機外に落下し回収される。
【００２６】
以上に説明した玉通路装置１によれば、遊技盤２の表面の遊技領域５を遊技盤２の裏面方向に投影した投影領域（具体的には、遊技盤２の両側縁部及び下端縁部を除いた部分）に亘って、遊技盤２と裏板３との間に、遊技玉１１が通過可能な間隔（具体的には、遊技玉の径よりも僅かに大きい間隔）の遊技玉落下用の中空部１０が形成されている。このため、遊技盤２の裏面の入賞口の近くに、入賞口の数や位置に対応して通路形成部材を設ける必要がなく、部材点数や組立工数を削減することができる。また、遊技盤２の裏面に通路溝を予め設ける必要もないため、異なる機種間においても玉通路形態の共通化を図ることができる。
【００２７】
また、遊技盤２及び裏板３が透明樹脂製であるため、外部（正面並びに裏面）から中空部１０を視認することが可能であり、玉詰りや玉の引っ掛かり等の発見が容易である。また、遊技盤２に発光体（例えば、装飾ランプやＬＥＤ）を取り付けられた場合に、発光体が発光した際の光が透過するので装飾効果が高い。
【００２８】
なお、上記実施例の玉通路装置１は、遊技盤２に側部接合部材８，１８及び下端部接合部材９，１９を設け、これらの接合部材に裏板３を嵌め込んで遊技盤２の裏面に裏板３を一体に固定しているが、樹脂成形により遊技盤２，側部接合部材８，１８，下端部接合部材９，１９及び裏板３を一体形成してもよい。これにより、玉通路装置１の強度を更に高めることができる。また、遊技盤２，裏板３，側部接合部材８，１８および下端部接合部材９，１９のうちの少なくとも１つに対して、その中空部を構成する面に、落下してきた遊技玉１１の衝突による衝撃を吸収する緩衝材を設ける構成とすることができる。例えば、中空部１０の底部に位置する下端部接合部材９，１９の傾斜面９ａ，１９ａに緩衝材を設ける。この構成によれば、中空部１０に落下した遊技玉が傾斜面９ａ，１９ａに衝突する際の衝撃を吸収する緩衝材が設けられているので、落下した遊技玉１１が機外に排出されるまでの間に発生する衝撃音を吸収でき、かつ、中空部１０を構成する各部材（遊技盤２，裏板３，側部接合部材８，１８，下端部接合部材９，１９）を遊技玉１１の衝突による衝撃から保護することができる。
【００２９】
上記実施例の玉通路装置１では、中空部１０を投影領域に形成したが、この投影領域の範囲は、遊技盤２の両側縁部及び下端縁部を除いた範囲に限らず、遊技領域の形状に合わせて適宜変更することができる。また、上記実施例では、中空部１０を３個の入賞口孔６と１個のアウト口７を跨ぐ範囲に形成したが、中空部１０は、少なくとも遊技盤２に穿設される複数の貫通孔（遊技玉１１を遊技領域５から遊技盤２の裏面側に導く通路）を跨ぐ範囲に形成されていればよい。
【００３０】
上記実施例の玉通路装置１では、遊技盤２，裏板３，側部接合部材８，１８および下端部接合部材９，１９によって中空部１０を形成したが、下端部接合部材９，１９を用いることなく、遊技盤２，裏板３，側部接合部材８，１８によって中空部１０を形成しても良い。この場合の側部接合部材８や側部接合部材１８の形状や配置は、上記実施例のような略鉛直方向に伸びたストレート形状で縁部に配置したものに限らず、様々な形状や配置を考えることができる。例えば、遊技盤２の裏面の下端付近に絞り部（中空部１０の横断面積が減少された部位）が設けられる形状や配置を考えることができる。このような絞り部を設けた場合には、側部接合部材８や側部接合部材１８の中空部１０を構成する面（中空部１０に臨む面）に、遊技盤２の下端部に向かう傾斜面を設けても良い。こうすれば、この傾斜面に沿って遊技玉１１が流れ落ちるので、遊技玉１１の機外へのスムーズな排出を実現することができる。勿論、こうした傾斜面に緩衝材を設ける構成としても良い。また、樹脂成形により遊技盤２，側部接合部材８，１８及び裏板３を一体形成してもよい。
【００３１】
上記実施例の玉通路装置１では、遊技盤２又は裏板３に帯電防止機能を付与したが、遊技盤２，裏板３，側部接合部材８，１８，下端部接合部材９，１９の少なくとも１つの部材に帯電防止機能が付与されていれば良い。また、各部材（遊技盤２，裏板３，側部接合部材８，１８，下端部接合部材９，１９）の一部の範囲（例えば、中空部１０に面する部分や中空部１０に面しない部分）に帯電防止機能を付与しても良いし、各部材の全体に帯電防止機能を付与しても良い。
【００３２】
また、上記実施例または変形例では、帯電防止材が導電性高分子材と比べて材料色の選択範囲が広いことを考慮し、遊技盤２，裏板３，側部接合部材８，１８，下端部接合部材９，１９（以下、「中空部構成部材」という）を帯電防止材を用いて形成したが、こうした中空部構成部材を導電性高分子材を用いて形成することとしても差し支えない。導電性高分子材とは、導電性を有する合成高分子材料のうち、組成体の全体が導電性を有するものをいい、一般には、ある母材（マトリックス）に導電性を有する微粒子を充填剤（フィラー）として配合することにより組成される。導電性高分子材の種類には、母材に合成樹脂、充填剤にカーボンブラックや銀・銅などの金属を採用した導電性プラスチックや、合成ゴムを母材とする導電性ゴム等がある。この導電性高分子材では、組成体内部での充填剤同士の直接的な接触によって電荷が移動することにより、組成体内での電気伝導が達成される。こうした導電性高分子材を用いて中空部構成部材を形成すれば、遊技玉１１との摩擦等により中空部構成部材上において生じた静電気は、導電性高分子材を用いて形成された中空部構成部材内に分散される。従って、中空部構成部材上において局所的な高電圧が生じる蓋然性が低くなり、上記の帯電防止材の場合と同程度以上に、中空部構成部材から放電された静電気がノイズとして制御基板に作用することを防止することができる。
【００３３】
上記実施例におけるパチンコ機は、球貸し等による上皿への遊技玉１１の補充や、上皿ないし下皿に払い出された遊技玉１１の機外への取り出しが可能に構成されているが、本実施例の玉通路装置１は、機内に遊技用の玉が封入され、この玉を流通させることにより遊技を行なう遊技機にも採用することができる。この場合には、排出口１２に、玉循環用の通路を接続すればよい。
【００３４】
また、上記実施例におけるパチンコ機は、遊技玉１１の入賞口への侵入に伴って所定数の遊技玉１１を賞球として払い出すが、このような賞球に替えて所定数のメダルや景品等を払い出す遊技機にも、本実施例の玉通路装置１を採用することができる。このような遊技機として、アレンジボール，パチンコ玩具等を考えることができる。更に、上記実施例では、遊技玉１１を用いて遊技を行なうパチンコ機を例として説明したが、玉以外の遊技媒体を用いて遊技を行なう遊技機（例えば、メダルを用いて遊技を行なうスロットマシン等）にも本発明の遊技媒体通路機構を適用することができる。この場合において、中空部１０の前後方向の間隔Ｄや排出口１２の間隔Ｗは、上記遊技玉１１の場合と同様に、メダルが通過可能な間隔、具体的には、一般的なメダルの最小幅となる厚みよりも大きな値であればよく、メダルの最大幅となる直径よりも大きな値とすれば、メダルの通過の確実性が増す点で、より好ましい。
【図面の簡単な説明】
【００３５】
【図１】本発明の遊技機の遊技媒体通路機構の実施例であるパチンコ機の玉通路装置の正面図である。
【図２】図１の玉通路装置を背面から示す斜視図である。
【図３】図１のＡ−Ａ線断面矢視図である。
【符号の説明】
【００３６】
１  玉通路装置
２  遊技盤
３  裏板
４  レール
５  遊技領域
６  入賞口孔
７  アウト口
８  側部接合部材
９  下端部接合部材
９ａ  傾斜面
１０  中空部
１１  遊技玉
１２  玉排出口
１８  側部接合部材
１９  下端部接合部材
１９ａ  傾斜面
【図１】
2007175349.tif 000003
【図２】
2007175349.tif 000004
【図３】
2007175349.tif 000005